(57)【要約】【課題】  外部電源が接続可能なストロボにおいて、接続部の端子部分に水滴が入り込んだ場合に、外部電源を接続した時に感電等の危険の発生を防止する。【解決手段】  外部電源が接続可能なストロボにおいて、ストロボの外部電源制御用端子の信号レベルを検出し該検出結果に応じて制御信号の出力を禁止し、外部電源が接続されても外部電源が作動しないようにする。【選択図】  図１
2008040423.tif 000002
【特許請求の範囲】
【請求項１】
外部電源を接続可能なストロボにおいて
外部電源と接続するための高圧入力端子と
外部電源と接続するための制御端子と
外部電源と接続するためのグランド端子と
前記制御端子に外部電源を駆動する信号を送出する送出手段と
前記制御端子の信号を検出するための検出手段と
前記信号の検出レベルに応じて前記信号を送出を禁止する禁止手段と
を有することを特徴とするストロボ。
【請求項２】
前記信号を禁止した時警告する警告手段を有することを特徴とする請求項１のストロボ。
【発明の詳細な説明】
【技術分野】
【０００１】
本発明は外部電源を接続することが可能な防滴性に優れたストロボに関するものである。
【背景技術】
【０００２】
近年カメラあるいは防滴性を有したものが発売されている。しかしながら、ストロボに関しては水中で用いる特殊なストロボは既に発売されている。しかしながら、外部電源が接続可能な防滴性を有した一般ストロボは発売されていない。
【特許文献１】特開平９−２１８４４２号公報
【発明の開示】
【発明が解決しようとする課題】
【０００３】
従来は水中で使用するストロボに関する技術は前記特許文献特開平９−２１８４４２公報に記されている。水中で使用するため、ストロボとカメラとは発光指示のための信号線で接続され完全に防水機能が施されていた。防滴機能を有したストロボでは防滴対策は行われているが、例えば外部電源端子を有するストロボの端子は通常カバーで覆われるが、接続の時雨が降っている場合は接続端子が短時間であるが剥き出しになる可能性がある。この時ストロボの接続端子が雨でぬれた場合は外部電源接続時に感電等の問題が発生する可能性がある。
【０００４】
本発明は上記の課題を解決することを目的とする。
【課題を解決するための手段】
【０００５】
本発明を達成するために、請求項１に記載の発明は、外部電源を接続可能なストロボにおいて
外部電源と接続するための高圧入力端子と
外部電源と接続するための制御端子と
外部電源と接続するためのグランド端子と
前記制御端子に外部電源を駆動する信号を送出する送出手段と
前記制御端子の信号を検出するための検出手段と
前記信号の検出レベルに応じて前記信号を送出を禁止する禁止手段と
を有するストロボとするものである。
【０００６】
同じく本発明を達成ために、請求項２に記載の発明は、前記信号を禁止した時警告する警告手段を有する請求項１のストロボとするものである。
【発明の効果】
【０００７】
請求項１記載の発明によればストロボの外部電源を制御する制御端子の信号を検出することにより制御端子に水滴等が入りグランド端子とショートした時に制御信号の発生が禁止され外部電源を接続しても外部電源の昇圧回路が作動しないので感電等の問題が発生する事はない。
【０００８】
請求項２記載の発明によれば、前記の様に制御端子とグランド端子に水滴等が入り制御信号の発生が禁止された時に警告を使用者に与えるので外部電源を接続する前に端子部の水分を取り除く等の対策が予めとれる。
【発明を実施するための最良の形態】
【０００９】
本発明を実施するための最良の形態は、以下に記載した実施例１に示す通りである。
【実施例１】
【００１０】
図１は本発明に係わるストロボの１実施例である。
【００１１】
図１において点線の上側が外部電源であり、下側がストロボである。
【００１２】
まず下側のストロボの回路の構成を詳述する。１０１は電源電池であり、プラス極はスイッチ１０２の一端とマイナス極は後述のストロボマイコン１０８のＧＮＤと接続されている。１０２は電源スイッチであり、一端は電源電池１０１のプラス極と他端は後述の昇圧回路１０７の入力に接続されている。１０３はコンデンサであり、電源電池１０１とスイッチ１０２との直列回路と並列に接続されている。１０４はＤＣ／ＤＣコンバータであり、一端はコンデンサ１０３の陽極と他端はストロボマイコン１０８のＶＤＤと接続されている。１０５は抵抗であり、一端はマイコン１０８のポートＰ２と他端は後述のダイオード１０６のアノードと接続されている。１０６は充電完了ランプ兼警告ランプであり、アノードは抵抗１０５の一端とカソードはマイコン１０８のＧＮＤと接続されている。１０７は昇圧回路であり、一端はスイッチ１０２の一端と他端は後述のダイオード１０９のアノードに接続されている。該昇圧回路は電源電池１０１の電池電圧を昇圧しダイオード１０９を介して後述のメインコンデンサ１２０を約３００Ｖまで充電する。１０８はストロボマイコンであり、４個のポートと電源入力端子ＶＤＤ及びグランド端子ＧＮＤを有している。１０９はダイオードであり、アノードは昇圧回路１０７の出力とカソードはメインコンデンサ１２０の陽極と接続されている。１１０と１１１は抵抗であり直列に接続されており、該接続回路はメインコンデンサ１２０に並列に接続されており接続点はマイコン１０８のポートＰ１に接続されている。Ｐ１はマイコン１０８内部のＡＤコンバータと接続されており、前記接続点の電圧を検知する。即ちメインコンデンサの１２０の充電電圧を検知することができる。１１２はコンパレータであり、＋入力は後述の抵抗１１４と１１５の接続点に、−入力は後述の抵抗１１８と１１９の接続点に、出力は抵抗１１３の一端にそれぞれ接続されている。１１３は抵抗であり、一端は前記コンパレータ１１２の出力に他端は後述のトランジスタ１１７のベースに接続されている。１１３は抵抗であり、一端はコンパレータ１１２の出力に他端は後述のトランジスタ１１７のベースに接続されている。１１４及び１１５は直列に接続された抵抗であり、一端はマイコン１０８のＶＤＤに、他端はマイコン１０８のＧＮＤに接続されおり、抵抗１１４と１１５の接続点はコンパレータ１１２の＋極に接続されている。１１６は抵抗であり、一端はマイコン１０８のＧＮＤに接続されおり、他端はトランジスタ１１７のコレクタに接続されている。１１７はＮＰＮトランジスタであり、エミッタは電源電池１０１の−極に、ベースは抵抗１１３の一端に、コレクタは抵抗１１６の一端に接続されている。１１８と１１９とは抵抗で直列回路を形成しており、一端はトランジスタ１１７のコレクタと他端はマイコン１０８のＧＮＤと接続されている。また、前記直列回路の接続点はコンパレータ１１２の−入力に接続されている。１２０はメインコンデンサであり、後述の閃光放電管１２４に並列に接続されている。１２２は不図示のカメラのシンクロスイッチであり、一端は電源電池１０１の−極に接続され他端は後述のトリガ回路１２３に接続されている。１２３はトリガ回路であり入力はシンクロスイッチ１２２に、他端は閃光放電管１２４のトリガ端子に接続されている。また、１２４は閃光放電管であり、メインコンデンサ１２０と並列に接続されている。１２５はダイオードであり、アノードは端子後述のＴＣ３と、カソードはメインコンデンサ１２０の陽極と接続されている。１２６は電流制限用抵抗であり一端はダイオード１２５のカソードに他端はメインコンデンサ１２０の陽極に接続されている。
【００１３】
次に点線上部の外部電源の回路の構成を詳述する。１３１は電源電池であり、一端は後述の昇圧回路１３７の入力に接続され、他端は後述の外部電源マイコンのＧＮＤに接続されている。１２３はコンデンサであり、前記電源電池１３２に並列に接続されている。１３３はＤＣ／ＤＣコンバータであり、入力は前記電源電池１３１の＋極に、出力は外部電源マイコン１３８のＶＤＤに接続されている。１３４は抵抗であり、一端は外部電源マイコン１３８のポートＰ４に他端は後述のＬＥＤ１３５に接続されている。１３５はＬＥＤであり、アノードは前記抵抗１３４の一端にカソードは外部電源マイコン１３７のＧＮＤに接続されている。また、該ＬＥＤは後述の昇圧回路１３６が作動している時だけ点灯する。１３６は昇圧回路であり後述の第オート１３８、端子ＴＧ３及びストロボ側端子ＴＣ３、ダイオード１２５を介してメインコンデンサ１２０を充電する。該昇圧回路は入力は電源電池１３１の＋極に出力はダイオード１３８のアノードに制御端子は外部電源マイコン１３７のポートＰ１とそれぞれ接続されている。１３７は外部電源マイコンであり、電源入力端子ＶＤＤ、グランド端子ＧＮＤ及び４個のポートを有している。１３８は整流用ダイオードでありアノードは昇圧回路のアノードとカソードは端子ＴＧ３に接続されている。１３９及び１４０は直列回路を形成しており、該直列回路は後述のコンデンサ１４１に並列に接続されている。また、該直列回路の接続点は外部電源マイコンのポートＰ２と接続されている。１４１はコンデンサであり前記抵抗１３９及び１４０で形成される直列回路に並列に接続されている。ＴＧ１は端子であり、外部電源マイコンのポートＰ３に接続されている。また、外部電源をストロボに接続するとストロボ側端子ＴＣ１に接続される。ＴＧ２は端子であり、電源電池１３１の−極に接続されている。また、外部電源をストロボに接続するとストロボ側端子ＴＣ２に接続される。ＴＧ３は端子であり、コンデンサ１４１の陽極に接続されている。また、外部電源をストロボに接続するとストロボ側端子ＴＣ３に接続される。
【００１４】
図２及び図３の構成を説明する。
【００１５】
図２は外部電源端子の切断面を示したものであり、ストロボ端子受け穴で最も深いのはＴＧ２であり、次に深いのはＴＧ１であり、最も浅いのはＴＧ３である。
【００１６】
図３はストロボの外部電源用端子のピンの切断面を示したものであり、ピンの長さが最も長いのはＴＣ２であり、次に長いのはＴＣ１であり、最も短いのはＴＣ３である。
【００１７】
次に図１、図２及び図３を用いてストロボ及び外部電源の動作を説明する。
【００１８】
まず、ストロボに外部電源が接続されておらず、図２の端子部が水滴等で濡れていない状態から詳述する。
【００１９】
ストロボマイコンのポートは電源スイッチがオフの時は全てローレベルである。電源スイッチ１０２をオンすると、ＤＣ／ＤＣコンバータが作動しストロボマイコン１０８が動作を開始する。該動作を開始するとポートＰ４をハイレベルにし、昇圧回路１０７は作動を開始する。ここでポートＰ３は電源電池１０１の電圧を監視するポートであり、該電圧がＤＣ／ＤＣコンバータが作動する電圧を下回らないように前記電圧が所定値に下がった時ポートＰ４をローレベルにして昇圧回路１０７の動作を停止する。このような状態は充電初期のみに生ずる。昇圧回路１０７によりメインコンデンサ１２０の充電が開始される。ポートＰ１でメインコンデンサ１２０の電圧が検出され、メインコンデンサ１２０が閃光撮影が可能になる第一の所定値（約２８０Ｖ）に達するとポートＰ２がハイレベルとなりＬＥＤ１０６は点灯しストロボ撮影が完了したことをユーザに知らせる。次にメインコンデンサが第二の所定レベル（約３３０Ｖ）に達した時はポートＰ４をローレベルにして昇圧回路を停止する。またメインコンデンサ１２０が第三の所定値（第二の所定値より数ボルト下の値）に達すると再びポート４をハイレベルにして昇圧回路１０７を動作状態にする。この繰り返しによりメインコンデンサ１２０の充電電圧はほぼ一定値に保たれる。この状態でカメラのシンクロ端子１２２をオンするとトリガ回路１２３が駆動され閃光放電管１２４のトリガ電極に高圧が与えられ閃光放電管はメインコンデンサ１２０の電荷を放電し発光する。
【００２０】
次に端子部の水滴検知に関して詳述する。図２の端子部が水滴等で濡れていないのでＴＣ１の電圧は抵抗１１６と抵抗１１８及び１１９の直列抵抗で決まる値となっているが、該直列抵抗の方が抵抗１１６より抵抗値が非常に大きいのでＴＣ１の電圧はほぼＤＣ／ＤＣコンバータ１０４の出力Ｖｄｄ）になっている。該出力は抵抗１１８と１１９で分割されコンパレータ１１２の−入力に与えられる。また、対抗１１４と１１５の接続点は前記コンパレータ１１２の＋入力に基準電圧として与えられる。基準電圧はここではＤＣ／ＤＣコンバータ１０４の出力の１／２に設定している。従って水滴がない場合にはコンパレータ１１２の出力はローレベルとなっておりトランジスタ１１７はオフ状態である。従ってＴＣ１にはほぼＶｄｄとなっている。この状態で外部電源（図２の端子受け部には水滴はないとする。）を接続すると、ＴＧ２とＴＣ２がまず接続され次にＴＧ１とＴＣ１が接続され、最後にＴＧ３とＴＣ３が接続される。最後の接続によりＶｄｄの電圧がＴＧ３とＴＣ３を介してＰ３に与えられる。この時外部電源マイコン１３７はスタンバイ状態にあり、前記Ｐ３に電圧が与えられると外部電源マイコン１３７は動作状態となる。該動作状態になるとポートＰ１がハイレベルとなり昇圧回路１３６が昇圧動作を開始すると共にポート４がハイレベルとなり昇圧動作が行われていることを使用者に知らせる。昇圧回路１３６の出力によりダイオード１３８及びＴＧ３、ＴＣ３、ダイオード１２５及び抵抗１２６を介してメインコンデンサ１２０を充電する。また、コンデンサ１４１も同様に充電される。コンデンサ１４１の電圧をポートＰ２で検出し第二の所定値（ストロボの第二の所定値と同じ値でも良い）になるとポートＰ１をローレベルにし昇圧回路１３６の昇圧動作を禁止し、第三の所定値（ストロボの第三の値と同じでも良い）に降下するとポートＰ１をハイレベルとして昇圧動作を開始する。以上の動作を繰り返すことによりコンデンサ１４１の電圧はほぼ一定となる。従ってメインコンデンサ１２０の電圧も第二の電圧でほぼ一定となる。以上の動作は通常の使用状態である。
【００２１】
上記においてストロボと外部電源の端子の順番を決めてあるのは、例えばＴＧ２とＴＣ２が接続された時の後にＴＧ３とＴＣ３が接続されてしまうと外部電源の昇圧回路１３６が作動してしまいコンデンサ１４１が充電されてしまう。この状態でＴＧ１とＴＣ１が接続されるとメインコンデンサ１２０が充電されていない時は端子に大きな電流がながれ火花が発生する可能性があるので上記のような順番で端子が接続されるように構成されている。なお、あまり大電流にならないように抵抗１２６が設けられているが高圧端子（ＴＧ３，ＴＣ３）で火花放電が発生する可能性がある。
【００２２】
次に、図３のストロボの端子に水滴が付いた状態の時の動作について詳述する。
【００２３】
純水以外の水分は多かれ少なかれ電流を通すことは知られている。外部電源を切り離した状態でＴＣ１とＴＣ１が水滴で接続されるとＴＣ１の電圧が降下する。ＴＣ１の電圧がコンパレータ１１２の＋入力の値より低くなると、コンパレータ１１２の出力はハイレベルとなりトランジスタ１１７はオンとなる。該オンによりＴＣ１の電圧はほぼ０Ｖとなる。この状態で外部電源を接続するとＴＧ１を介して外部電源マイコン１３７のポートＰ３に電圧が与えられないので外部電源は動作することはない。もし仮に動作してしまうとＴＧ３の高圧がＴＣ２あるいはＴＣ１にも水滴を介して与えられ外部電源が動作し続け電源電池あるいは昇圧回路の温度が異常に高くなったり、ＴＣ３の高圧がＴＣ２に急激に流れ発音に至る可能性もある。本発明によれば前記の異常状態を防ぐことが可能となる。
【００２４】
また、ストロボの電源スイッチをオフにしストロボ側の接点を布などで良く拭きとれば、ＴＣ１には正常な電圧が発生し正常に動作することが可能となる。
【００２５】
（産業上の利用可能性）
防滴仕様を有したカメラ等はすでに発売されているが、外部電源が接続されるストロボに関しては高圧を水滴から守る方法が難しかったが、この問題が本件で解決できるのでストロボを含むカメラシステムでの利用が可能になった。
【図面の簡単な説明】
【００２６】
【図１】本発明の実施例の回路図である。
【図２】本発明の実施例におけるストロボ及び外部電源の端子部分の断面図である。
【図３】本発明の実施例におけるストロボ及び外部電源の端子部分の断面図である。
【符号の説明】
【００２７】
１０１  ストロボ電源電池
１０８  ストロボマイコン
１０６  撮影準備完了用兼警告用ＬＥＤ
１１２  コンパレータ
１２０  メインコンデンサ
１２４  閃光放電管
ＴＣ１  ストロボ制御端子
ＴＣ２  グランド端子
ＴＣ３  ストロボ高圧端子
１３１  ストロボ電源電池
１３７  ストロボマイコン
１３５  昇圧回路作動確認用ＬＥＤ
ＴＧ１  外部電源制御端子
ＴＧ２  外部電源グランド端子
ＴＧ３  外部電源高圧端子
【図１】
2008040423.tif 000003
【図２】
2008040423.tif 000004
【図３】
2008040423.tif 000005